(57)【要約】【課題】ホットメルト接着剤を充填することなしに水密性能を高めることができる嵌合式屋根材を提案する。【解決手段】上ハゼ、下ハゼを備えた嵌合式屋根材において、上ハゼの内部に、隣接配置する別の屋根材の下ハゼを嵌合させる嵌合空間よりもわずかに小さい空間を残して充填された充填層を設ける。【選択図】図１
2020176403.tif 000002
【特許請求の範囲】
【請求項１】
梁間方向に沿って延伸する一対の長尺縁部とこれら各長尺縁部を挟み込み桁方向に沿って延伸する一対の短尺縁部とによって区画された輪郭形状を有する屋根材本体と、該屋根材本体の各短尺縁部にそれぞれ設けられた下継手、上継手と、該屋根材本体の各長尺縁部のそれぞれに沿って一体連結する上ハゼ、下ハゼとを備え、該下継手を、該屋根材本体の水上側に隣接配置する他の屋根材の短尺縁部に設けられた上継手に嵌合させ、該上継手を、該屋根材本体の水下側に隣接配置する他の屋根材の短尺縁部に設けられた下継手に嵌合させて屋根材同士を梁間方向へ接続する一方、該上ハゼ、下ハゼを、桁方向に隣接配置する別の屋根材の下ハゼ、上ハゼにそれぞれ嵌合させて屋根材同士を桁方向へ接続することにより建築構造物の屋根を葺きあげる嵌合式の屋根材であって、
前記上ハゼは、隣接配置する別の屋根材の下ハゼを嵌合させる嵌合空間よりもわずかに小さい空間を残して充填された充填層を有することを特徴とする嵌合式屋根材。
【請求項２】
前記充填層は、前記隣接配置する別の屋根材の下ハゼに前記上ハゼを嵌合させた際にその相互間において水密性能を高める発泡プラスチック系樹脂からなることを特徴とする請求項１に記載した嵌合式屋根材。
【請求項３】
前記屋根材本体の外表面、前記上ハゼ、前記下ハゼ、前記下継手および前記上継手は、該屋根材本体の外表面、該外ハゼ、該下ハゼ、外下継手、該上継手か一体的につながる外皮材からなり、該外皮材の裏側面に、断熱層を形成する芯材を介して内皮材を設けたことを特徴とする請求項１または２に記載した嵌合式屋根材。
【発明の詳細な説明】
【技術分野】
【０００１】
本発明は、一般住宅や事務所、マンション、福祉施設、リゾート施設等の屋根において幅広く使用される、嵌合式屋根材に関するものである。
【背景技術】
【０００２】
嵌合式の縦葺き屋根材は、従来、屋根材の幅方向の端部に設けられた上ハゼ、下ハゼを、隣接配置する他の屋根材の下ハゼ、上ハゼにそれぞれ嵌合させることにより屋根材同士を桁方向につなぎ合わせる施工が行われており、これにより建築構造物の屋根の効率的な葺きあげを可能としている。
【０００３】
ところで、かかる屋根材は、下ハゼ、上ハゼの嵌合部分において浸透圧現象により雨水等の吸い込みを起すことが知られており、屋根の葺きあげ施工に際しては、図８、図９に示すように上ハゼの嵌合空間内にホットメルト接着剤を注入し該接着剤により水密性能を高めるようにしているが、ホットメルト接着剤の注入には特別な装置が必要であり施工コストの上昇が避けられないばかりか余計な工程が必要になるため施工効率の改善を図るにも限界があるという状況にあった。
【発明の概要】
【発明が解決しようとする課題】
【０００４】
本発明の目的は、嵌合式屋根材につき、ホットメルト接着剤等の注入を行うことなしに嵌合部における水密性能を高めることができる嵌合式屋根材を提案するところにある。
【課題を解決するための手段】
【０００５】
本発明は、梁間方向に沿って延伸する一対の長尺縁部とこれら各長尺縁部を挟み込み桁方向に沿って延伸する一対の短尺縁部とによって区画された輪郭形状を有する屋根材本体と、該屋根材本体の各短尺縁部にそれぞれ設けられた下継手、上継手と、該屋根材本体の各長尺縁部のそれぞれに沿って一体連結する上ハゼ、下ハゼとを備え、該下継手を、該屋根材本体の水上側に隣接配置する他の屋根材の短尺縁部に設けられた上継手に嵌合させ、該上継手を、該屋根材本体の水下側に隣接配置する他の屋根材の短尺縁部に設けられた下継手に嵌合させて屋根材同士を梁間方向へ接続する一方、該上ハゼ、下ハゼを、桁方向に隣接配置する別の屋根材の下ハゼ、上ハゼにそれぞれ嵌合させて屋根材同士を桁方向へ接続することにより建築構造物の屋根を葺きあげる嵌合式の屋根材であって、
前記上ハゼは、隣接配置する別の屋根材の下ハゼを嵌合させる嵌合空間よりもわずかに小さい空間を残して充填された充填層を有することを特徴とする嵌合式屋根材である。
【０００６】
上記の構成からなる嵌合式屋根材において、前記充填層は、前記隣接配置する別の屋根材の下ハゼに前記上ハゼを嵌合させた際にその相互間において水密性能を高める発泡プラスチック系樹脂からなること、また、前記屋根材本体の外表面、前記上ハゼ、前記下ハゼ、前記下継手および前記上継手は、該屋根材本体の外表面、該外ハゼ、該下ハゼ、外下継手、該上継手か連続的につながる外皮材からなり、該外皮材の裏側面には、断熱層を形成する芯材を介して設置された内皮材を有すること、が課題解決のための具体的手段として好ましい。
【発明の効果】
【０００７】
本発明によれば、上ハゼに、隣接配置する別の屋根材の下ハゼを嵌合させる嵌合空間よりもわずかに小さい空間を残して充填された充填層を設けるようにしたため、屋根の施工時にホットメルト樹脂を注入する作業を要することなしに水密性能を高めることができる。
【図面の簡単な説明】
【０００８】
【図１】本発明にしたがう嵌合式屋根材の実施の形態を示した外観斜視図である。
【図２】図１に示した嵌合式屋根材の正面を示した図である。
【図３】本発明にしたがう嵌合式屋根材と、水上側、水下側に隣接配置する他の屋根材とを梁間方向につなぎ合わせる状況を示した図である。
【図４】本発明にしたがう嵌合式屋根材と、隣接配置する別の屋根材とを桁方向につなぎ合わせる状況を示した図である。
【図５】本発明にしたがう嵌合式屋根材を桁方向につなぎ合わせた状況を一部分について示した図である。
【図６】本発明にしたがう嵌合式屋根材の他の実施の形態を示した図である。
【図７】本発明にしたがう嵌合式屋根材を複数枚用いて建築構造物の屋根を葺きあげる場合の一例を部分的に示した図である。
【図８】ホットメルト接着剤の充填状況を示した図である。
【図９】ホットメルト接着剤を使用した水密構造を示した図である。
【発明を実施するための形態】
【０００９】
以下、図面を参照して、本発明をより具体的に説明する。
図１は、本発明にしたがう嵌合式屋根材の実施の形態を示した外観斜視図であり、図２は、図１に示した嵌合式屋根材の正面を示した図である。
【００１０】
本発明にしたがう嵌合式屋根材は、下継手が設けられた側を棟に向けて配置し、上継手が設けられた側を軒に向けて配置されるものであって、下継手が設けられた側を水上側、上継手が設けられた側を水下側とする。建築構造物の屋根を葺きあげるにあたっては、本発明にしたがう屋根材と同じ構成からなる屋根材を複数枚用いることを前提としており、隣接配置する他の屋根材、隣接配配置する別の屋根材についても本願発明にしたがう屋根材と同じ構成からなるものとする。また、屋根材の本体部分（屋根材本体）、上ハゼ、下ハゼ、上継手、下継手は、単一の板材に曲げ加工あるいはプレス加工を施すことにより成形されるものであり、その素材としては、厚さ０．２〜１．０ｍｍ程度になる亜鉛めっき鋼板、アルミニウム亜鉛合金めっき鋼板、銅板、アルミニウム板、ステンレス鋼板あるいは、それらの塗装または被覆鋼板等が用いられる。
【００１１】
図１、２における符号１は、屋根材本体である。屋根材本体１は、梁間方向に沿って延伸する一対の長尺縁部１ａ、１ｂと、これら長尺縁部１ａ、１ｂを挟み込んで桁方向に沿って延伸する一対の短尺縁部１ｃ、１ｄによって区画された、全体として矩形状をなす輪郭形状を有している。
【００１２】
また、２は、屋根材本体１の長尺縁部１ａに一体連結するとともに、桁方向の一方に隣接配置する別の屋根材の下ハゼに嵌合して屋根材同士を接続する上ハゼである。
【００１３】
上ハゼ２は、長尺縁部１ａから立ち上がる傾斜側板２ａと、この傾斜側板２ａの上端に係止顎部ｔ１を介してつながるとともに、桁方向に隣接配置する別の屋根材の下ハゼに嵌合可能な内部空間を有する先端先細り形状をなすドーム型の頭部２ｂと、この頭部２ｂに係止顎部ｔ２を介して垂下、保持され、傾斜側板２ａとの相互間にて下開き開口を形成する傾斜側板２ｃとから構成されている。上ハゼ２は、頭部２ｂの側壁に長尺縁部１ａに沿って延伸する凹部を設けることが可能であり、これにより、桁方向に隣接配置する別の屋根材の下ハゼに嵌合させた際に、その相互間で面接触するのを避けて雨水等の侵入を防止することができるようになっている。
【００１４】
また、３は、屋根材本体１の長尺縁部１ｂに一体連結するとともに、桁方向のもう一方に隣接配置する別の屋根材の下ハゼに嵌合して屋根材同士を接続する下ハゼである。
【００１５】
この下ハゼ３は、長尺縁部１ｂから立ち上がる側板３ａと、この側板３ａの上端に係止顎部ｔ３を介してつながるとともに、桁方向に隣接配置する他の屋根材の上ハゼに嵌合可能な先端先細り形状をなすドーム型の頭部３ｂと、この頭部３ｂに係止顎部ｔ４介して垂下、保持され、側板３ａとの相互間にて下開き開口を形成する側板３ｃと、この側板３ｃの下端に水平姿勢でもって一体的につながる固定用舌片３ｄから構成されている。
【００１６】
係止顎部ｔ１と係止顎部ｔ２とは相互に逆向きに突出していて、両者でもって嵌合させたハゼの引き抜けを防止する。また、係止顎部ｔ３と係止顎部ｔ４とは、上記の係止顎部ｔ１、係止顎部ｔ２と同様に、相互に逆向きになっており、両者でもって嵌合させたハゼの引き抜けを防止する。
【００１７】
４は、屋根材本体１の短尺縁部１ｃに設けられた下継手である。この下継手４は、屋根材本体１の外表面に面一状態でつながり、かつ、水上側に隣接配置する他の屋根材の短尺縁部１ｃの下側において重ね合わさるものである。
【００１８】
下継手４は、具体的には、ロール成形により屋根材本体１、上ハゼ２、下ハゼ３と同一断面形状に形成したのち、プレス成形による絞り加工を施すことによって成形されるものであって、屋根材本体１の短尺縁部１ｃの全域にわたってつながる板状体４ａと、この板状体４ａの幅方向の端縁および上ハゼ２の端部につながるとともに水上側に隣接配置する他の屋根材の上ハゼ（上継手の第三のハゼに相当するもの）に嵌合可能な第一のハゼ４ｂと、該板状体４ａのもう一方の幅方向の縁部および下ハゼ３の端部においてつながるとともに水上側に隣接配置する他の屋根材の下ハゼ（上継手の第四のハゼに相当するもの）に嵌合可能な第二のハゼ４ｃとから構成されている。上記第二のハゼ４ｃの下端には、水平状態で下ハゼ３の固定用舌片３ｄにつながる舌片４ｄが設けられている。
【００１９】
下継手４の幅寸法は、水上側に隣接配置する他の屋根材とのつなぎ合わせに際して相互に確実に重ね合わせることができるように、水上側に隣接配置する他の屋根材の屋根材本体の幅寸法（実際には上継手の幅寸法）よりも若干広くなっている。
【００２０】
また、５は、屋根材本体１のもう一方の短尺縁部１ｄに設けられた上継手（屋根の水下側に配置される）である。この上継手５は、屋根材本体１と面一状態でつながり、水下側に隣接配置する他の屋根材の短尺縁部（下継手に相当する部分）の上側において重ね合わさるものである。
【００２１】
上継手５は、具体的には、屋根材本体１に面一状態で一体連結する第一の板状体５ａと、この第一の板状体５ａの幅方向の各端部および上ハゼ２、下ハゼ３にそれぞれ面一状態で一体連結する第三のハゼ５ｂ、第四のハゼ５ｃとを備えている。なお、屋根材本体１と上継手５とをわかりやすく表示するため図１ではその境界を破線で表示している。
【００２２】
また、符号６は、上ハゼ２に隣接配置する別の屋根材の下ハゼを嵌合させる嵌合空間よりもわずかに小さい空間を残して充填された充填層である。充填層６としては、隣接配置する別の屋根材の下ハゼに上ハゼを嵌合させた際にその相互間において水密性を高める発泡プラスチック系樹脂が用いられる。充填層６が隣接配置する別の屋根材の下ハゼを嵌合させる嵌合空間よりもわずかに小さい空間を残しておくことにより、隣接配置する別の屋根材の下ハゼが上ハゼ２に嵌合した際に該充填層６は、圧縮状態に保持されることになる。
【００２３】
本発明にしたがう嵌合式屋根材を梁間方向においてつなぎ合わせるには、図３に示すように、下継手４の第一のハゼ４ｂを、水上側において隣接配置する他の屋根材の上継手５′の第三のハゼ５ｂ′に、また、下継手４の第二のハゼ４ｃを、該水上側において隣接配置する屋根材の上継手５′の第四のハゼ５ｃ′にそれぞれ嵌合させる一方、上継手５の第三のハゼ５ｂを、水下側において隣接配置する他の屋根材の下継手４′の第一のハゼ４ｂ′に、また、上継手５の第四のハゼ５ｃを、水下側において隣接配置する他の屋根材の下継手４′の第二のハゼ４ｃ′に嵌合させればよい。
【００２４】
また、本発明にしたがう嵌合式屋根材を桁方向につなぎ合わせるには、図４に示すように、下ハゼ３を、隣接配置する別の屋根材の上ハゼ２′′を嵌合させ、上ハゼ２を、隣接配置する別の屋根材の下ハゼ３′′に嵌合させればよく、この作業を、梁間方向で先行して行うことにより建築構造物の屋根を葺きあげることができる。
【００２５】
図５は、本発明にしたがう嵌合式屋根材を桁方向につなぎ合わせた状況を一部分について示した図である。本発明にしたがう嵌合式屋根材は、上ハゼ２の嵌合空間に予め充填層６が設けられているため、ホットメルト接着剤を注入する等の余計な工程は不要であり、建築構造物の屋根を効率的に葺きあげることができる。また、ホットメルト接着剤を注入するための特別な装置を用いる必要もないため、施工コストの軽減を図ることができる。
【００２６】
図６は、本発明にしたがう嵌合式屋根材の他の実施の形態を示した図である。かかる屋根材は、屋根材本体１の外表面、上ハゼ２、下ハゼ３、下継手４および上継手５を、それらが一体的につながる外皮材Ａにて構成し、該外皮材Ａの裏側面に、断熱層を形成する芯材Ｂを介して内皮材Ｃを配置した積層構造からなる屋根材であり、建築構造物の屋根の断熱性能を高めることができる。
【００２７】
外皮材Ａ、内皮材Ｃとしては、厚さ０．２〜１．０ｍｍ程度になる亜鉛めっき鋼板、アルミニウム亜鉛合金めっき鋼板、銅板、アルミニウム板、ステンレス鋼板あるいは、それらの塗装または被覆鋼板等を用いることができ、芯材Ｂとしては、厚さ１０〜１００ｍｍ程度の発泡プラスチック系樹脂（ポリイソシアヌレートフォーム、ウレタン樹脂等）を用いることができる。芯材Ｂと充填層６とは同材質とすることができるものであり、積層構造からなる屋根材の製造に際してこれらを同時に設けることにより製造コストの軽減を図ることができる。
【００２８】
図７は、本発明にしたがう嵌合式屋根材を複数枚用いて建築構造物の屋根を葺きあげる場合の一例を部分的に示した図である。
【００２９】
屋根材の配置手順としては、まず、野地板に二次防水紙のアスファルトルーフィングを敷設し、屋根材の働き幅に合わせて割付け、墨出しを行い、軒先に軒先水切りを取付けたのち（図示せず）、屋根の「けらば」の軒から墨出しに合わせて一列・一段目の屋根材を配置し、その屋根材の下ハゼ３の固定用舌片３ｄ、下継手４の舌片４ｄのそれぞれに所定間隔でもってビスをねじ込むか、あるいは釘等を打ち付けて野地板、母屋等に固定する。
【００３０】
次に、一列・二段目の屋根材（隣接配置する他の屋根材）を、既に固定された一列・一段目の屋根材の水上側（棟側）に配置して屋根材同士を接続する。一列・一段目の屋根材と一列・二段目の屋根材とを接続するには、一列・二段目の屋根材の上継手５を、一列・一段目の屋根材の下継手４に重ね合わせるべく、上継手５の第三のハゼ５ｂを、下継手４の第一のハゼ４ｂに、また上継手５の第四のハゼ５ｃを、下継手４の第二のハゼ４ｃに嵌合させればよい。一列・二段目の屋根材も下ハゼ３の固定用舌片３ｄ、下継手４の舌片４ｄにビスをねじ込むかあるいは釘等を打ち付けることによって野地板、母屋等に固定する。
【００３１】
上記の接続作業は、屋根の棟に達するまで繰り返し行い（梁間方向の接続）、一列目の接続作業を終えたならば、二列目の屋根材を配置する。
【００３２】
二列目の屋根材として、二列・一段目の屋根材を配置するには、既に固定された一列・一段目の屋根材の下ハゼ３に二列・一段目の屋根材の上ハゼ２を嵌合させるとともに、一列・二段目の屋根材の第四のハゼ５ｃに、二列・一段目の屋根材の第一のハゼ４ｂを嵌合させる（桁方向の接続）。
【００３３】
次いで、二列・二段目の屋根材の上ハゼ２を、一列・二段目の屋根材の下ハゼ３に、その第三のハゼ５ｂを二列・一段目の屋根材の第一のハゼ４ｂに、その第一のハゼ４ｂを、一列・二段目の屋根材の第二のハゼ４ｃにそれぞれ嵌合させればよく、二列目の屋根材の接続作業についても一列目の屋根材と同様に屋根の棟に達するまで繰り返し行う。なお、三列目以降については、二列目の配置要領と同様の要領で屋根材同士をつなぎ合わせればよい。
【産業上の利用可能性】
【００３４】
本発明によれば、ホットメルト接着剤等の注入を行うことなしに嵌合部における水密性能を高めることが可能な嵌合式屋根材が提供できる。
【符号の説明】
【００３５】
１      屋根材本体
１ａ    長尺縁部
１ｂ    長尺縁部
１ｃ    短尺縁部
１ｄ    短尺縁部
２      上ハゼ
２ａ    傾斜側板
２ｂ    頭部
２ｃ    傾斜側板
３      下ハゼ
３ａ    側板
３ｂ    頭部
３ｃ    側板
３ｄ    固定用舌片
４      下継手
４ａ    板状体
４ｂ    第一のハゼ
４ｃ    第二のハゼ
４ｄ    舌片
４ｅ    起立係止片
５      上継手
５ａ    第一の板状体
５ｂ    第三のハゼ
５ｃ    第四のハゼ
５ｄ    垂下係止片
６      充填層
Ａ      外皮材
Ｂ      芯材
Ｃ      内皮材
【図１】
2020176403.tif 000003
【図２】
2020176403.tif 000004
【図３】
2020176403.tif 000005
【図４】
2020176403.tif 000006
【図５】
2020176403.tif 000007
【図６】
2020176403.tif 000008
【図７】
2020176403.tif 000009
【図８】
2020176403.tif 000010
【図９】
2020176403.tif 000011